(57)【要約】【課題】専用の操作キーや機構を新たに備えることなく、画像の表示を停止させる機能を利用することが可能な画像表示装置、プロジェクタ及び画像表示装置の制御方法を提供する。【解決手段】電源オンの状態で操作パネルの電源キーが操作された際に、プロジェクタが通常表示状態である場合には、制御部は、表示状態を一時的に画像ミュート状態に切り換えさせ、さらに、これ以降の操作方法を案内する案内画像Ｐｇを重畳させる。案内画像Ｐｇには、電源キーを再び操作することによりスタンバイ状態（電源オフの状態）に移行する旨と、電源キー以外の操作キーを操作することにより通常表示状態に復帰する旨と、操作がないまま所定時間（例えば、５秒間）が経過した場合には画像ミュート状態を継続する旨の案内が表記されている。この案内画像Ｐｇが表示されている状態では、ユーザは、案内画像Ｐｇの案内に従って、所望の動作を選択することができる。【選択図】図８
2009276649.tif 000002
【特許請求の範囲】
【請求項１】
画像を表示する表示部と、
電源をオフにするための電源キーを含む複数の操作キーを有する入力操作部と、
前記表示部により前記画像の表示が行われる通常表示状態と、前記表示部による前記画像の表示を停止する画像ミュート状態とを切り換える表示制御部と、
前記通常表示状態において前記電源キーが操作された場合に、前記電源をオフにする動作、及び前記表示制御部によって前記画像ミュート状態に切り換える動作を含む複数の動作の中から所望の動作を選択させるとともに、選択された動作を実行すべく制御を行う制御部と、
を備えたことを特徴とする画像表示装置。
【請求項２】
請求項１に記載の画像表示装置であって、
前記制御部は、前記通常表示状態において前記電源キーが操作されて前記所望の動作を選択させる際に、選択方法を案内する案内画像を前記表示部に表示させることを特徴とする画像表示装置。
【請求項３】
請求項１又は２に記載の画像表示装置であって、
前記通常表示状態において前記電源キーが操作された場合に前記制御部が選択させる前記複数の動作には、前記通常表示状態を維持する動作が含まれることを特徴とする画像表示装置。
【請求項４】
請求項１〜３のいずれか１項に記載の画像表示装置であって、
前記制御部は、前記通常表示状態において前記電源キーが操作された場合に、一時的に前記画像ミュート状態に切り換えた後で前記所望の動作を選択させることを特徴とする画像表示装置。
【請求項５】
請求項１〜４のいずれか１項に記載の画像表示装置であって、
前記制御部は、前記画像ミュート状態で前記電源キーが操作された場合には、前記電源をオフにする動作、及び前記通常表示状態に切り換える動作を含む複数の動作の中から所望の動作を選択させることを特徴とする画像表示装置。
【請求項６】
請求項５に記載の画像表示装置であって、
前記制御部は、前記画像ミュート状態において前記電源キーが操作されて前記所望の動作を選択させる際に、選択方法を案内する案内画像を前記表示部に表示させることを特徴とする画像表示装置。
【請求項７】
請求項５又は６に記載の画像表示装置であって、
前記画像ミュート状態において前記電源キーが操作された場合に前記制御部が選択させる前記複数の動作には、前記画像ミュート状態を維持する動作が含まれることを特徴とする画像表示装置。
【請求項８】
請求項５〜７のいずれか１項に記載の画像表示装置であって、
前記制御部は、前記画像ミュート状態において前記電源キーが操作された場合に、一時的に前記通常表示状態に切り換えた後で前記所望の動作を選択させることを特徴とする画像表示装置。
【請求項９】
画像を投写して表示する画像投写部と、
電源をオフにするための電源キーを含む複数の操作キーを有する入力操作部と、
前記画像投写部により前記画像の表示が行われる通常表示状態と、前記画像投写部による前記画像の表示を停止する画像ミュート状態とを切り換える表示制御部と、
前記通常表示状態において前記電源キーが操作された場合に、前記電源をオフにする動作、及び前記表示制御部によって前記画像ミュート状態に切り換える動作を含む複数の動作の中から所望の動作を選択させるとともに、選択された動作を実行すべく制御を行う制御部と、
を備えたことを特徴とするプロジェクタ。
【請求項１０】
画像の表示が行われる通常表示状態と、前記画像の表示を停止する画像ミュート状態とを切り換え可能な画像表示装置の制御方法であって、
前記通常表示状態において、電源をオフにするための操作を受け付ける操作ステップと、
前記操作ステップの後に、前記電源をオフにする動作、及び前記画像ミュート状態に切り換える動作を含む複数の動作の中から所望の動作を選択させる選択ステップと、
前記選択ステップで選択された動作を実行する動作ステップと、
を備えたことを特徴とする画像表示装置の制御方法。
【発明の詳細な説明】
【技術分野】
【０００１】
本発明は、入力される画像信号に応じた画像を表示する画像表示装置、プロジェクタ、及び画像表示装置の制御方法に関する。
【背景技術】
【０００２】
近年、プロジェクタ等の画像表示装置の多機能化に伴って、この画像表示装置を遠隔操作するためのリモコンには、多数の操作キーが備わるようになっている。一方、画像表示装置の本体の操作パネルは、デザイン性の重視、低コスト化、使用頻度が低いこと等の理由により、必要最小限の操作キーのみを備えるようになっている。このため、画像の表示を一時的に停止させる画像ミュート機能についても、この機能を利用するための操作キーはリモコンにのみ搭載され、装置本体のみでは利用できない場合が多い。つまり、画像ミュート機能を利用するためには、ユーザが装置本体の近傍にいる場合であってもリモコンを用いなければならず、利便性が損なわれていた。
【０００３】
特許文献１には、投写レンズから画像（光学像）を投写するプロジェクタにおいて、投写レンズの前方に開閉可能に備えられたレンズカバーを閉じることによって、画像の表示を停止するプロジェクタが提案されている。このプロジェクタによれば、画像の表示を停止するための操作キーを新たに設けることなく、装置本体のみで画像ミュート機能と同等の機能を実現することが可能となる。
【０００４】
【特許文献１】特開２００７−２４０５５１号公報
【発明の開示】
【発明が解決しようとする課題】
【０００５】
しかしながら、特許文献１に記載のプロジェクタでは、開閉式のレンズカバー、及びこの開閉状態を検出するセンサ等を備える必要が生じるため、装置本体の構造の複雑化や高コスト化を招いてしまうという問題を有している。
【課題を解決するための手段】
【０００６】
本発明は、上述の課題の少なくとも一部を解決するためになされたものであり、以下の形態又は適用例として実現することが可能である。
【０００７】
［適用例１］本適用例に係る画像表示装置は、画像を表示する表示部と、電源をオフにするための電源キーを含む複数の操作キーを有する入力操作部と、前記表示部により前記画像の表示が行われる通常表示状態と、前記表示部による前記画像の表示を停止する画像ミュート状態とを切り換える表示制御部と、前記通常表示状態において前記電源キーが操作された場合に、前記電源をオフにする動作、及び前記表示制御部によって前記画像ミュート状態に切り換える動作を含む複数の動作の中から所望の動作を選択させるとともに、選択された動作を実行すべく制御を行う制御部と、を備えたことを特徴とする。
【０００８】
この画像表示装置によれば、通常表示状態において電源キーが操作された場合に、画像ミュート状態に切り換える動作が選択可能になるため、画像ミュート状態に切り換えるための操作キーや機構等を新たに備えることなく、画像の表示を停止させる機能を利用することが可能となる。
【０００９】
［適用例２］上記適用例に係る画像表示装置において、前記制御部は、前記通常表示状態において前記電源キーが操作されて前記所望の動作を選択させる際に、選択方法を案内する案内画像を前記表示部に表示させることが望ましい。
【００１０】
この画像表示装置によれば、選択方法を案内する案内画像が表示されるため、動作を選択する際のユーザの利便性が向上する。
【００１１】
［適用例３］上記適用例に係る画像表示装置において、前記通常表示状態において前記電源キーが操作された場合に前記制御部が選択させる前記複数の動作には、前記通常表示状態を維持する動作が含まれることが望ましい。
【００１２】
この画像表示装置によれば、通常表示状態において電源キーが操作された場合に、通常表示状態を維持する動作も選択可能であるため、電源キーを誤操作した場合等における操作の取り消しを行うことが可能となる。
【００１３】
［適用例４］上記適用例に係る画像表示装置において、前記制御部は、前記通常表示状態において前記電源キーが操作された場合に、一時的に前記画像ミュート状態に切り換えた後で前記所望の動作を選択させることが望ましい。
【００１４】
この画像表示装置によれば、通常表示状態において電源キーが操作された場合に、動作の選択の前に画像ミュート状態に切り換わるため、直ちに画像の表示を停止させたい場合、そのタイミングが遅れてしまうことが抑制される。
【００１５】
［適用例５］上記適用例に係る画像表示装置において、前記制御部は、前記画像ミュート状態で前記電源キーが操作された場合には、前記電源をオフにする動作、及び前記通常表示状態に切り換える動作を含む複数の動作の中から所望の動作を選択させることが望ましい。
【００１６】
この画像表示装置によれば、画像ミュート状態において電源キーが操作された場合に、通常表示状態に切り換える動作が選択可能になるため、通常表示状態に切り換えるための操作キーや機構等を新たに備えることなく、画像ミュート状態から通常表示状態に復帰させることが可能となる。
【００１７】
［適用例６］上記適用例に係る画像表示装置において、前記制御部は、前記画像ミュート状態において前記電源キーが操作されて前記所望の動作を選択させる際に、選択方法を案内する案内画像を前記表示部に表示させることが望ましい。
【００１８】
この画像表示装置によれば、選択方法を案内する案内画像が表示されるため、動作を選択する際のユーザの利便性が向上する。
【００１９】
［適用例７］上記適用例に係る画像表示装置において、前記画像ミュート状態において前記電源キーが操作された場合に前記制御部が選択させる前記複数の動作には、前記画像ミュート状態を維持する動作が含まれることが望ましい。
【００２０】
この画像表示装置によれば、画像ミュート状態において電源キーが操作された場合に、画像ミュート状態を維持する動作も選択可能であるため、電源キーを誤操作した場合等における操作の取り消しを行うことが可能となる。
【００２１】
［適用例８］上記適用例に係る画像表示装置において、前記制御部は、前記画像ミュート状態において前記電源キーが操作された場合に、一時的に前記通常表示状態に切り換えた後で前記所望の動作を選択させることが望ましい。
【００２２】
この画像表示装置によれば、画像ミュート状態において電源キーが操作された場合に、動作の選択の前に通常表示状態に切り換わるため、直ちに画像の表示を再開させたい場合、そのタイミングが遅れてしまうことが抑制される。
【００２３】
［適用例９］本適用例に係るプロジェクタは、画像を投写して表示する画像投写部と、電源をオフにするための電源キーを含む複数の操作キーを有する入力操作部と、前記画像投写部により前記画像の表示が行われる通常表示状態と、前記画像投写部による前記画像の表示を停止する画像ミュート状態とを切り換える表示制御部と、前記通常表示状態において前記電源キーが操作された場合に、前記電源をオフにする動作、及び前記表示制御部によって前記画像ミュート状態に切り換える動作を含む複数の動作の中から所望の動作を選択させるとともに、選択された動作を実行すべく制御を行う制御部と、を備えたことを特徴とする。
【００２４】
このプロジェクタによれば、通常表示状態において電源キーが操作された場合に、画像ミュート状態に切り換える動作が選択可能になるため、画像ミュート状態に切り換えるための操作キーや機構等を新たに備えることなく、画像の表示を停止させる機能を利用することが可能となる。
【００２５】
［適用例１０］本適用例に係る画像表示装置の制御方法は、画像の表示が行われる通常表示状態と、前記画像の表示を停止する画像ミュート状態とを切り換え可能な画像表示装置の制御方法であって、前記通常表示状態において、電源をオフにするための操作を受け付ける操作ステップと、前記操作ステップの後に、前記電源をオフにする動作、及び前記画像ミュート状態に切り換える動作を含む複数の動作の中から所望の動作を選択させる選択ステップと、前記選択ステップで選択された動作を実行する動作ステップと、を備えたことを特徴とする。
【００２６】
この画像表示装置の制御方法によれば、通常表示状態において電源をオフにするための操作がなされた場合に、画像ミュート状態に切り換える動作が選択可能になるため、画像ミュート状態に切り換えるための操作キーや機構等を新たに備えることなく、画像の表示を停止させる機能を利用することが可能となる。
【００２７】
また、上述した画像表示装置及びその制御方法が画像表示装置に備えられたコンピュータを用いて構築されている場合には、上記形態及び上記適用例は、その機能を実現するためのプログラム、或いは当該プログラムを前記コンピュータで読み取り可能に記録した記録媒体等の態様で構成することも可能である。記録媒体としては、フレキシブルディスクやＣＤ−ＲＯＭ、光磁気ディスク、ＩＣカード、ＲＯＭカートリッジ、パンチカード、バーコード等の符号が印刷された印刷物、画像表示装置の内部記憶装置（ＲＡＭやＲＯＭ等のメモリ）、及び外部記憶装置等、前記コンピュータが読み取り可能な種々の媒体を利用することができる。
【発明を実施するための最良の形態】
【００２８】
以下、画像表示装置の一例として、外部の画像供給装置（入力ソース）から入力される画像信号に基づく画像（以降、「入力画像」という。）を投写して、スクリーンや壁面等の投写面にこの入力画像を表示するプロジェクタについて説明する。本実施形態のプロジェクタは、ユーザの指示に応じて、入力画像の表示の一時的な停止と再開とを切り換えることが可能になっている。
【００２９】
図１は、本実施形態のプロジェクタを示す斜視図である。
図１に示すように、プロジェクタ１は、装置本体が筐体２によって覆われた構成を有している。筐体２の前面２ｆには、投写面に画像を投写する投写レンズ１３が露出しており、筐体２の上面２ｔには、プロジェクタ１に対して各種指示を行うための操作パネル２２が備えられている。また、プロジェクタ１は、リモコン２３による遠隔操作も可能になっており、筐体２の前面２ｆには、リモコン２３から送信される赤外線の操作信号を受信するための操作信号受信部２４が設けられている。なお、筐体２の背面（図示せず）には、各種入力ソースから画像信号を入力するための複数の入力端子２５ａ（図２参照）が備えられている。
【００３０】
図２は、プロジェクタ１の概略構成を示すブロック図である。
図２に示すように、プロジェクタ１は、画像投写部１０、制御部２０、記憶部２１、操作パネル２２、リモコン２３、操作信号受信部２４、画像信号入力部２５、入力ソース選択部２６、画像処理部２７、ＯＳＤ処理部２８、電源回路２９、光源制御部３０等で構成されている。
【００３１】
画像投写部１０は、光源１１、光変調装置としての３つの液晶ライトバルブ１２Ｒ，１２Ｇ，１２Ｂ、投写光学系としての投写レンズ１３、ライトバルブ駆動部１４等を含んでいる。画像投写部１０は、表示部に相当するものであり、光源１１から射出された光を、液晶ライトバルブ１２Ｒ，１２Ｇ，１２Ｂで変調して画像を形成し、この画像を投写レンズ１３から投写して投写面Ｓに表示する。
【００３２】
光源１１は、超高圧水銀ランプやメタルハライドランプ等からなる放電型の光源ランプ１１ａと、光源ランプ１１ａが放射した光を液晶ライトバルブ１２Ｒ，１２Ｇ，１２Ｂ側に反射するリフレクタ１１ｂとを含んで構成されている。光源１１から射出された光は、図示しないインテグレータ光学系によって輝度分布が略均一な光に変換され、図示しない色分離光学系によって光の３原色である赤色（Ｒ）、緑色（Ｇ）、青色（Ｂ）の各色光成分に分離された後、それぞれ液晶ライトバルブ１２Ｒ，１２Ｇ，１２Ｂに入射する。
【００３３】
液晶ライトバルブ１２Ｒ，１２Ｇ，１２Ｂは、一対の透明基板間に液晶が封入された液晶パネル等によって構成される。液晶ライトバルブ１２Ｒ，１２Ｇ，１２Ｂには、マトリクス状に配列された複数の画素が形成されており、液晶に対して画素毎に駆動電圧を印加可能になっている。ライトバルブ駆動部１４が、入力される画像信号に応じた駆動電圧を各画素に印加すると、各画素は、画像信号に応じた光透過率に設定される。このため、光源１１から射出された光は、この液晶ライトバルブ１２Ｒ，１２Ｇ，１２Ｂを透過することによって変調され、画像信号に応じた画像が色光毎に形成される。形成された各色の画像は、図示しない色合成光学系によって画素毎に合成されてカラー画像となった後、投写レンズ１３から拡大投写される。
【００３４】
制御部２０は、ＣＰＵ（Central Processing Unit）や、各種データ等の一時記憶に用いられるＲＡＭ（Random Access Memory）等を備え、記憶部２１に記憶されている制御プログラムに従って動作することによりプロジェクタ１の動作を統括制御する。つまり、制御部２０は、記憶部２１とともにコンピュータとして機能する。また、制御部２０には、時間の計測を行う計時部としてのタイマ２０ａが備えられている。
【００３５】
記憶部２１は、マスクＲＯＭ（Read Only Memory）や、フラッシュメモリ、ＦｅＲＡＭ（Ferroelectric RAM：強誘電体メモリ）等の不揮発性のメモリにより構成されている。記憶部２１には、プロジェクタ１の動作を制御するための制御プログラムや、プロジェクタ１の動作条件等を規定する各種設定データ等が記憶されている。
【００３６】
操作パネル２２及びリモコン２３は、ユーザからの入力操作を受け付ける入力操作部に相当するものであり、ユーザがプロジェクタ１に対して各種指示を行うための複数の操作キーを備えている。
【００３７】
図３は、操作パネル２２を示す平面図であり、図４は、リモコン２３を示す平面図である。
図３に示すように、操作パネル２２が備える操作キーとしては、電源のオンとオフとを切り換えるための電源キー３１、入力ソースを切り換えるための入力切換キー３２、各種設定を行うためのメニュー画像を表示させるメニューキー３３、メニュー画像における項目の選択等に用いられる４つの方向キー３４、メニュー画像において選択された項目を決定するための決定キー３５、動作の取消等を指示する取消キー３６がある。また、図４に示すように、リモコン２３は、操作パネル２２の操作キー３１〜３６とそれぞれ同一の用途に用いられる電源キー４１、入力切換キー４２、メニューキー４３、方向キー４４、決定キー４５、及び取消キー４６を備えている。さらに、リモコン２３には、入力画像の表示の一時的な停止と再開とを切り換えるためのミュートキー４７を始め多数の操作キーが備えられており、リモコン２３を用いた場合には、操作パネル２２を用いた場合に比べて多くの指示を行うことが可能になっている。
【００３８】
図２に戻って、ユーザが操作パネル２２の各種操作キーを操作すると、操作パネル２２は、操作された操作キーに応じた操作信号を制御部２０に出力する。また、ユーザがリモコン２３の各種操作キーを操作すると、リモコン２３は、操作された操作キーに応じた赤外線の操作信号を発し、操作信号受信部２４がこれを受信して制御部２０に伝達する。
【００３９】
画像信号入力部２５は、ビデオ再生装置やパーソナルコンピュータ等の入力ソースから各種形式の画像信号を入力可能な複数の入力端子２５ａを備えている。各入力端子２５ａに入力された画像信号は、入力ソース選択部２６に供給される。
【００４０】
入力ソース選択部２６は、複数の入力端子２５ａのうち、制御部２０の指示に基づく１つの入力端子２５ａを選択し、この入力端子２５ａに入力される画像信号を画像処理部２７に出力する。ユーザが、操作パネル２２やリモコン２３に備わる入力切換キー３２，４２（図３、図４参照）を操作して所望の入力端子２５ａを指定すると、制御部２０は、この入力端子２５ａに入力されている画像信号が画像処理部２７に出力されるよう、入力ソース選択部２６に指示をする。
【００４１】
画像処理部２７は、入力ソース選択部２６から入力される画像信号を、液晶ライトバルブ１２Ｒ，１２Ｇ，１２Ｂの各画素の階調を表す画像情報に変換する。ここで、変換された画像情報は、Ｒ、Ｇ、Ｂの色光別になっており、各液晶ライトバルブ１２Ｒ，１２Ｇ，１２Ｂのすべての画素に対応する複数の画素値によって構成されている。画素値とは、対応する画素の光透過率を定めるものであり、この画素値によって、各画素から射出する光の強弱（階調）が規定される。また、画像処理部２７は、制御部２０の指示に基づき、変換した画像情報に対して、明るさ、コントラスト、シャープネス、色合い等を調整するための画質調整処理等を行い、処理後の画像情報をＯＳＤ処理部２８に出力する。
【００４２】
さらに、画像処理部２７は、制御部２０の指示に基づいて、すべての画素の光透過率が最小となるように、すべての画素値を最小値（０）に設定する処理を行うことができる。この場合、ＯＳＤ処理部２８には、すべての画素値が０に設定された画像情報、即ち黒色の無地画像（黒色画像）を表す画像情報が出力される。このように、画像処理部２７は、入力画像を表す画像情報を出力する状態と、黒色画像を表す画像情報を出力する状態とを、制御部２０の指示の応じて切り換えることができる。
【００４３】
ＯＳＤ処理部２８は、制御部２０の指示に基づいて、メニュー画像やメッセージ画像等のＯＳＤ（オンスクリーンディスプレイ）画像を、入力画像又は黒色画像上に重畳するための処理を行う。ＯＳＤ処理部２８は、図示しないＯＳＤメモリを備えており、ＯＳＤ画像を形成するための図形やフォント等を表すＯＳＤ画像情報を記憶している。制御部２０が、ＯＳＤ画像の重畳を指示すると、ＯＳＤ処理部２８は、必要なＯＳＤ画像情報をＯＳＤメモリから読み出し、入力画像又は黒色画像の所定の位置にＯＳＤ画像が重畳されるように、画像処理部２７から入力される画像情報にこのＯＳＤ画像情報を合成する。ＯＳＤ画像情報が合成された画像情報は、ライトバルブ駆動部１４に出力される。なお、制御部２０からＯＳＤ画像を重畳する旨の指示がない場合には、ＯＳＤ処理部２８は、画像処理部２７から入力される画像情報を、そのままライトバルブ駆動部１４に出力する。
【００４４】
ライトバルブ駆動部１４が、ＯＳＤ処理部２８から入力される画像情報に従って液晶ライトバルブ１２Ｒ，１２Ｇ，１２Ｂを駆動すると、液晶ライトバルブ１２Ｒ，１２Ｇ，１２Ｂは、画像情報に応じた画像を形成し、この画像が投写レンズ１３から投写される。
【００４５】
電源回路２９には、外部からＡＣ１００Ｖ等の商用電源が供給される。電源回路２９は、商用電源（交流電源）を所定の電圧の直流電源に変換して、プロジェクタ１の各部に電力を供給する。また、電源回路２９は、制御部２０の指示に基づいて、画像の投写に必要な電力（動作電力）を各部に供給する状態（電源オンの状態）と、動作電力の供給を停止して、電源をオンにするための操作を待機する状態（スタンバイ状態）とを切り換えることができる。
【００４６】
光源制御部３０は、制御部２０の指示に基づいて、光源１１に対する電力の供給と停止とを制御し、光源１１の点灯及び消灯を切り換える。
【００４７】
次に、プロジェクタ１の動作について説明する。
図５（ａ）〜（ｃ）は、プロジェクタ１の動作を説明するための説明図であり、プロジェクタ１から画像が投写される投写面Ｓを示す図である。
プロジェクタ１に商用電源が供給されると、電源回路２９は、制御部２０、記憶部２１、操作パネル２２、操作信号受信部２４に電力（スタンバイ電力）の供給を行い、制御部２０は、この電力供給を受けて、制御プログラムに従った動作を開始する。商用電源が供給された直後には、プロジェクタ１は、スタンバイ状態（「電源オフの状態」ともいう。）であり、光源１１を消灯させた状態を維持している（図５（ａ）参照）。そして、ユーザが、操作パネル２２又はリモコン２３の電源キー３１，４１を操作すると、制御部２０は、電源回路２９に指示をして各部に動作電力を供給させ、プロジェクタ１を電源オンの状態にするとともに、光源制御部３０に指示をして光源１１を点灯させる。
【００４８】
図５（ｂ）に示すように、電源オンの状態に移行して光源１１が点灯すると、画像投写部１０からの画像の投写が開始し、投写面Ｓに入力画像Ｐｉが表示される（これ以降、プロジェクタ１が入力画像Ｐｉを表示している状態を「通常表示状態」と呼ぶ）。また、電源オンの状態において、プロジェクタ１は、操作パネル２２やリモコン２３に対する入力操作を待機しており、ユーザによってなされた操作に応じた処理を実行する。
【００４９】
ここで、リモコン２３に備わるミュートキー４７が操作された場合には、制御部２０は、画像処理部２７に指示をして、入力画像Ｐｉの代わりに、黒色画像Ｐｂを表す画像情報を出力させる。画像処理部２７は、制御部２０の指示に応じて、すべての画素の光透過率が最小となるように、画像情報に含まれるすべての画素値を最小値（０）に設定する。これにより、図５（ｃ）に示すように、プロジェクタ１は、投写面Ｓに黒色画像Ｐｂを表示させた状態、言い換えれば、画像投写部１０から光がほとんど照射されない状態となり、入力画像Ｐｉの表示が停止する（以降、この状態を「画像ミュート状態」と呼ぶ）。なお、画像ミュート状態において、画像ミュート状態であることを明示するための状態表示画像Ｐｍ（図５（ｃ）参照）をＯＳＤ画像等によって表示するようにしてもよい。
【００５０】
画像ミュート状態において、再度リモコン２３のミュートキー４７が操作された場合には、制御部２０は、画像処理部２７に指示をして、画像ミュート状態を解除させて入力画像Ｐｉの表示を再開させる。これにより、プロジェクタ１は、通常表示状態に復帰する（図５（ｂ）参照）。つまり、制御部２０は、ミュートキー４７が操作される度に画像ミュート状態と通常表示状態とを切り換える。なお、制御部２０には、プロジェクタ１が通常表示状態か画像ミュート状態かを示すフラグが備えられており、制御部２０は、通常表示状態と画像ミュート状態とを切り換える度にこのフラグの内容を書き換える。
【００５１】
また、電源オンの状態において、リモコン２３に備わる電源キー４１が操作された場合には、制御部２０は、光源制御部３０に光源１１を消灯させる等、必要な終了動作を行った後、電源回路２９に指示をして動作電力の供給を停止させ、プロジェクタ１をスタンバイ状態に移行させる（図５（ａ）参照）。
【００５２】
ここで、本実施形態のプロジェクタ１は、操作パネル２２にミュートキーを備えていないため、リモコン２３を用いずには、表示状態の切り換え（画像ミュート状態と通常表示状態との切り換え）を直接指示することができない。このため、本実施形態では、電源オンの状態において操作パネル２２の電源キー３１が操作された場合には、リモコン２３の電源キー４１が操作された場合とは異なる動作を行って、スタンバイ状態へ移行するか、或いは表示状態を切り換えるかをユーザが選択できるようにしている。
【００５３】
図６は、電源オンの状態で操作パネル２２の電源キー３１が操作された場合のプロジェクタ１の動作を説明するためのフローチャートである。プロジェクタ１が電源オンの状態で、ユーザにより操作パネル２２の電源キー３１が操作されると、制御部２０は、図６に示すフローに従って動作する。
【００５４】
図６に示すように、ステップＳ１０１では、制御部２０は、自らが備えるフラグを参照して、その時点におけるプロジェクタ１の状態が通常表示状態であるか否かを判断する。そして、通常表示状態である場合には、ステップＳ１０２に移行して、サブルーチンである第１の選択処理（図７参照）を実行し、フローを終了する。一方、プロジェクタ１が画像ミュート状態である場合には、ステップＳ１０３に移行して、サブルーチンである第２の選択処理（図９参照）を実行し、フローを終了する。
【００５５】
図７は、第１の選択処理を説明するためのフローチャートである。また、図８（ａ）〜（ｅ）は、第１の選択処理を説明するための説明図であり、投写面Ｓを示す図である。電源オンの状態で操作パネル２２の電源キー３１が操作された際に、プロジェクタ１が通常表示状態（図８（ａ）参照）である場合には、制御部２０は、図７に示すフローに従って動作する。
【００５６】
図７に示すように、ステップＳ１１１では、制御部２０は、画像処理部２７に指示をして、表示状態を一時的に画像ミュート状態に切り換えさせ、さらに、ステップＳ１１２では、ＯＳＤ処理部２８に指示をして、これ以降の操作方法（選択方法）を案内するＯＳＤ画像（案内画像Ｐｇ）を重畳させる。この結果、投写面Ｓには、黒色画像Ｐｂ上に重畳された案内画像Ｐｇが表示される（図８（ｂ）参照）。
【００５７】
図８（ｂ）に示すように、案内画像Ｐｇには、電源キー３１を再び操作することによりスタンバイ状態（電源オフの状態）に移行する旨と、電源キー３１以外の操作キーを操作することにより通常表示状態に復帰する旨と、操作がないまま所定時間（例えば、５秒間）が経過した場合には画像ミュート状態を継続する旨の案内が表記されている。この案内画像Ｐｇが表示されている状態では、ユーザは、案内画像Ｐｇの案内に従って、所望の動作を選択することができる。
【００５８】
図７に戻って、ステップＳ１１３では、制御部２０は、案内画像Ｐｇが表示されてからの経過時間を計測すべく、タイマ２０ａによる計時を開始する。
【００５９】
そして、ステップＳ１１４では、制御部２０は、操作パネル２２から入力される操作信号に基づいて、操作パネル２２の電源キー３１が再び操作されたか否かを判断する。そして、電源キー３１が操作された場合にはステップＳ１１９に移行し、電源キー３１が操作されていない場合にはステップＳ１１５に移行する。
【００６０】
電源キー３１が操作されずにステップＳ１１５に移行した場合には、制御部２０は、操作パネル２２から入力される操作信号に基づいて、電源キー３１以外の他の操作キー（操作キー３２〜３６のいずれか１つ）が操作されたか否かを判断する。そして、他の操作キーが操作された場合にはステップＳ１２２に移行し、いずれの操作キーも操作されていない場合にはステップＳ１１６に移行する。
【００６１】
いずれの操作キーも操作されずにステップＳ１１６に移行した場合には、制御部２０は、タイマ２０ａの計時結果に基づいて、案内画像Ｐｇを表示してから所定時間（５秒間）が経過したか否かを判断する。そして、所定時間が経過していない場合にはステップＳ１１４に戻り、電源キー３１又は他の操作キーが操作されるのを待機する。一方、所定時間が経過した場合にはステップＳ１１７に移行する。
【００６２】
案内画像Ｐｇを表示してから所定時間が経過してステップＳ１１７に移行した場合には、制御部２０は、タイマ２０ａによる計時を停止する。そして、ステップＳ１１８では、制御部２０は、ＯＳＤ処理部２８に指示をして、案内画像Ｐｇの重畳を終了させ、メインルーチン（図６に示したフロー）に復帰する。この結果、ステップＳ１１１で切り換えられた画像ミュート状態がこれ以降も継続することとなり、投写面Ｓは、黒色画像Ｐｂが表示された状態となる（図８（ｅ）参照）。
【００６３】
また、ステップＳ１１４において、電源キー３１が操作されてステップＳ１１９に移行した場合には、制御部２０は、タイマ２０ａによる計時を停止する。そして、続くステップＳ１２０では、制御部２０は、光源制御部３０に光源１１を消灯させる等、必要な終了動作を行い、ステップＳ１２１では、電源回路２９に指示をして動作電力の供給を停止させて、メインルーチンに復帰する。この結果、プロジェクタ１は、スタンバイ状態となる（図８（ｃ）参照）。
【００６４】
また、ステップＳ１１５において、電源キー３１以外の操作キーが操作されてステップＳ１２２に移行した場合には、制御部２０は、画像処理部２７に画像ミュート状態を解除させてプロジェクタ１を通常表示状態に切り換えさせ、ステップＳ１１７に移行する。その後、制御部２０は、タイマ２０ａによる計時を停止し（ステップＳ１１７）、案内画像Ｐｇの重畳を終了させ（ステップＳ１１８）、メインルーチンに復帰する。この結果、プロジェクタ１は、電源キー３１が操作される前の状態（通常表示状態）に復帰し、投写面Ｓは、入力画像Ｐｉが表示された状態となる（図８（ｄ）参照）。
【００６５】
本実施形態のプロジェクタ１は、上記のように動作するため、ユーザは、通常表示状態において電源キー３１を操作した後、所定の操作を行うことにより、３つの動作の中から所望の動作を選択することができる。つまり、電源キー３１の操作の後、再び電源キー３１を操作することにより、プロジェクタ１をスタンバイ状態に移行させることが可能であり、電源キー３１を操作した後、所定時間いずれの操作キーも操作せずにおくこと（放置すること）により、画像ミュート状態に切り換えることができる。また、電源キー３１を操作した後、電源キー３１以外の操作キーを操作することにより、電源キー３１の操作を取り消して、通常表示状態を維持することもできる。
【００６６】
図９は、第２の選択処理を説明するためのフローチャートである。また、図１０（ａ）〜（ｅ）は、第２の選択処理を説明するための説明図であり、投写面Ｓを示す図である。電源オンの状態で操作パネル２２の電源キー３１が操作された際に、プロジェクタ１が画像ミュート状態（図１０（ａ）参照）である場合には、制御部２０は、図９に示すフローに従って動作する。
【００６７】
図９に示すように、ステップＳ１３１では、制御部２０は、画像処理部２７に指示をして画像ミュート状態を解除させ、表示状態を一時的に通常表示状態に切り換えさせる。そして、ステップＳ１３２では、制御部２０は、ＯＳＤ処理部２８に指示をして、案内画像Ｐｇを重畳させる。この結果、投写面Ｓには、入力画像Ｐｉ上に重畳された案内画像Ｐｇが表示される（図１０（ｂ）参照）。
【００６８】
ステップＳ１３３では、制御部２０は、案内画像Ｐｇが表示されてからの経過時間を計測すべく、タイマ２０ａによる計時を開始する。
【００６９】
そして、ステップＳ１３４では、制御部２０は、操作パネル２２から入力される操作信号に基づいて、操作パネル２２の電源キー３１が再び操作されたか否かを判断する。そして、電源キー３１が操作された場合にはステップＳ１４０に移行し、電源キー３１が操作されていない場合にはステップＳ１３５に移行する。
【００７０】
電源キー３１が操作されずにステップＳ１３５に移行した場合には、制御部２０は、操作パネル２２から入力される操作信号に基づいて、電源キー３１以外の他の操作キーが操作されたか否かを判断する。そして、他の操作キーが操作された場合にはステップＳ１３８に移行し、いずれの操作キーも操作されていない場合にはステップＳ１３６に移行する。
【００７１】
いずれの操作キーも操作されずにステップＳ１３６に移行した場合には、制御部２０は、タイマ２０ａの計時結果に基づいて、案内画像Ｐｇを表示してから所定時間（５秒間）が経過したか否かを判断する。そして、所定時間が経過していない場合にはステップＳ１３４に戻り、電源キー３１又は他の操作キーが操作されるのを待機する。一方、所定時間が経過した場合にはステップＳ１３７に移行する。
【００７２】
案内画像を表示してから所定時間が経過してステップＳ１３７に移行した場合には、制御部２０は、画像処理部２７に指示をしてプロジェクタ１を画像ミュート状態に切り換えさせ、続くステップＳ１３８では、タイマ２０ａによる計時を停止する。そして、ステップＳ１３９では、制御部２０は、ＯＳＤ処理部２８に指示をして、案内画像Ｐｇの重畳を終了させ、メインルーチンに復帰する。この結果、プロジェクタ１は、電源キー３１が操作される前の状態（画像ミュート状態）に復帰し、投写面Ｓは、黒色画像Ｐｂが表示された状態となる（図１０（ｅ）参照）。
【００７３】
また、ステップＳ１３４において、電源キー３１が操作されてステップＳ１４０に移行した場合には、制御部２０は、タイマ２０ａによる計時を停止する。そして、続くステップＳ１４１では、制御部２０は、光源制御部３０に光源１１を消灯させる等、必要な終了動作を行い、ステップＳ１４２では、電源回路２９に指示をして動作電力の供給を停止させて、メインルーチンに復帰する。この結果、プロジェクタ１は、スタンバイ状態となる（図１０（ｃ）参照）。
【００７４】
また、ステップＳ１３５において、電源キー３１以外の操作キーが操作されてステップＳ１３８に移行した場合には、制御部２０は、タイマ２０ａによる計時を停止し、その後、案内画像Ｐｇの重畳を終了させ（ステップＳ１３９）、メインルーチンに復帰する。この結果、ステップＳ１３１で切り換えられた通常表示状態がこれ以降も継続することとなり、投写面Ｓは、入力画像Ｐｉが表示された状態となる（図１０（ｄ）参照）。
【００７５】
本実施形態のプロジェクタ１は、上記のように動作するため、ユーザは、画像ミュート状態において電源キー３１を操作した後、所定の操作を行うことにより、３つの動作の中から所望の動作を選択することができる。つまり、電源キー３１の操作の後、再び電源キー３１を操作することにより、プロジェクタ１をスタンバイ状態に移行させることが可能であり、電源キー３１を操作した後、電源キー３１以外の操作キーを操作することにより、通常表示状態に切り換えることができる。また、電源キー３１を操作した後、所定時間いずれの操作キーも操作せずにおくこと（放置すること）により、電源キー３１の操作を取り消して、画像ミュート状態を維持することもできる。
【００７６】
なお、本実施形態では、第１の選択処理及び第２の選択処理の双方において、入力操作がなされないまま所定時間が経過した場合にはプロジェクタ１を画像ミュート状態とし、電源キー３１以外の操作キーが操作された場合にはプロジェクタ１を通常表示状態にしている。これは、入力操作がなされない場合にプロジェクタ１を通常表示状態にする態様では、案内画像Ｐｇが所定時間重畳されたままとなって入力画像Ｐｉの鑑賞が妨げられてしまうためである。
【００７７】
以上説明したように、本実施形態のプロジェクタ１によれば、以下の効果を得ることができる。
【００７８】
（１）本実施形態のプロジェクタ１によれば、通常表示状態において操作パネル２２の電源キー３１が操作された場合に、画像ミュート状態に切り換える動作が選択可能になるため、操作パネル２２に画像ミュート状態に切り換えるための操作キーや機構等を新たに備えることなく、画像の表示を停止させる機能を利用することが可能となる。
【００７９】
（２）本実施形態のプロジェクタ１によれば、通常表示状態において電源キー３１が操作されて所望の動作を選択させる際に、選択方法を案内する案内画像Ｐｇが表示されるため、動作を選択する際のユーザの利便性が向上する。
【００８０】
（３）本実施形態のプロジェクタ１によれば、通常表示状態において電源キー３１が操作された場合に、通常表示状態を維持する動作も選択可能であるため、電源キー３１を誤操作した場合等における操作の取り消しを行うことが可能となる。
【００８１】
（４）本実施形態のプロジェクタ１によれば、通常表示状態において電源キー３１が操作された場合に、一時的に画像ミュート状態に切り換えた後で所望の動作を選択させるようにしているため、直ちに画像の表示を停止させたい場合に、そのタイミングが遅れてしまうことが抑制される。
【００８２】
（５）本実施形態のプロジェクタ１によれば、画像ミュート状態において電源キー３１が操作された場合に、通常表示状態に切り換える動作が選択可能になるため、通常表示状態に切り換えるための操作キーや機構等を新たに備えることなく、画像ミュート状態から通常表示状態に復帰させることが可能となる。
【００８３】
（６）本実施形態のプロジェクタ１によれば、画像ミュート状態において電源キー３１が操作されて所望の動作を選択させる際に、選択方法を案内する案内画像Ｐｇが表示されるため、動作を選択する際のユーザの利便性が向上する。
【００８４】
（７）本実施形態のプロジェクタ１によれば、画像ミュート状態において電源キー３１が操作された場合に、画像ミュート状態を維持する動作も選択可能であるため、電源キー３１を誤操作した場合等における操作の取り消しを行うことが可能となる。
【００８５】
（８）本実施形態のプロジェクタ１によれば、画像ミュート状態において電源キー３１が操作された場合に、一時的に通常表示状態に切り換えた後で所望の動作を選択させるようにしているため、直ちに画像の表示を再開させたい場合に、そのタイミングが遅れてしまうことが抑制される。
【００８６】
なお、本実施形態では、通常表示状態と画像ミュート状態とを切り換える際の制御部２０及び画像処理部２７が表示制御部に相当する。
【００８７】
（変形例）
また、上記実施形態は、以下のように変更してもよい。
【００８８】
上記実施形態では、電源オンの状態で電源キー３１を操作することにより、３つの動作（「スタンバイ状態への移行」、「表示状態の切り換え」、「表示状態の維持」）を選択できるようにしているが、「スタンバイ状態への移行」と「表示状態の切り換え」の２つを含んでいれば、選択可能な動作は上記の３つに限定されない。例えば、「スタンバイ状態への移行」と「表示状態の切り換え」の２つのみを選択可能にしてもよいし、「表示状態の維持」の代わりに他の動作を選択できるようにしてもよいし、さらに他の動作を加えて４つ以上の動作を選択できるようにしてもよい。
【００８９】
上記実施形態では、電源オンの状態で電源キー３１を操作した後に、「電源キー３１の再操作」、「他のキーの操作」、及び「所定時間の放置」の３つの操作方法によって動作の選択を行っているが、動作を選択するための操作方法（選択方法）は上記に限定されない。例えば、それぞれの動作を操作パネル２２の各操作キーに割り当てて、操作する操作キーによって動作を選択するようにしてもよい。
【００９０】
上記実施形態では、操作パネル２２の電源キー３１が操作された場合に、上記３つの動作を選択できるようにしているが、リモコン２３の電源キー４１が操作された場合にも動作を選択できるようにしてもよい。この場合には、リモコン２３にミュートキー４７を備える必要がなくなるため、リモコン２３の構成を簡略化することが可能となる。
【００９１】
上記実施形態では、画像ミュート状態において、黒色の無地画像を表示するようにしているが、画像ミュート状態のときに表示すべき画像は、黒色にも無地にも限定されず、入力画像が不可視（非表示）にさえなれば、いかなる画像を用いてもよい。
【００９２】
上記実施形態では、光変調装置として３つの液晶ライトバルブ１２Ｒ，１２Ｇ，１２Ｂを用いた３板式のプロジェクタ１について説明したが、これに限定されない。例えば、各画素の中にそれぞれＲ光、Ｇ光、Ｂ光を透過可能なサブ画素を含んだ１つの液晶ライトバルブによって画像を形成する態様とすることも可能である。
【００９３】
上記実施形態では、光変調装置として、透過型の液晶ライトバルブ１２Ｒ，１２Ｇ，１２Ｂを用いているが、反射型の液晶ライトバルブ等、反射型の光変調装置を用いることも可能である。また、入射した光の射出方向を、画素としてのマイクロミラー毎に制御することにより、光源１１から射出した光を変調する微小ミラーアレイデバイス等を用いることもできる。
【００９４】
上記実施形態では、光源１１は、放電型の光源ランプ１１ａによって構成されているが、ＬＥＤ（Light Emitting Diode：発光ダイオード）光源等の固体光源や、その他の光源を用いることもできる。
【００９５】
上記実施形態では、画像表示装置として、光源１１から射出された光を変調して投写するプロジェクタ１を例にして説明しているが、透過型のスクリーンを一体的に備えたリアプロジェクタ、或いは、液晶ディスプレイ、プラズマディスプレイ、ＳＥＤ（Surface-conduction Electron-emitter Display）、有機ＥＬ（Electro Luminescence）ディスプレイ等に適用することも可能である。
【図面の簡単な説明】
【００９６】
【図１】プロジェクタを示す斜視図。
【図２】プロジェクタの概略構成を示すブロック図。
【図３】操作パネルを示す平面図。
【図４】リモコンを示す平面図。
【図５】（ａ）〜（ｃ）は、プロジェクタの動作を説明するための説明図。
【図６】電源オンの状態で操作パネルの電源キーが操作された場合のプロジェクタの動作を説明するためのフローチャート。
【図７】第１の選択処理を説明するためのフローチャート。
【図８】（ａ）〜（ｅ）は、第１の選択処理を説明するための説明図。
【図９】第２の選択処理を説明するためのフローチャート。
【図１０】（ａ）〜（ｅ）は、第２の選択処理を説明するための説明図。
【符号の説明】
【００９７】
１…プロジェクタ、２…筐体、１０…画像投写部、１１…光源、１２Ｒ，１２Ｇ，１２Ｂ…液晶ライトバルブ、１３…投写レンズ、１４…ライトバルブ駆動部、２０…制御部、２０ａ…タイマ、２１…記憶部、２２…操作パネル、２３…リモコン、２４…操作信号受信部、２５…画像信号入力部、２５ａ…入力端子、２６…入力ソース選択部、２７…画像処理部、２８…ＯＳＤ処理部、２９…電源回路、３０…光源制御部、３１…電源キー、Ｐｂ…黒色画像、Ｐｇ…案内画像、Ｐｉ…入力画像、Ｓ…投写面。
【図１】
2009276649.tif 000003
【図２】
2009276649.tif 000004
【図３】
2009276649.tif 000005
【図４】
2009276649.tif 000006
【図５】
2009276649.tif 000007
【図６】
2009276649.tif 000008
【図７】
2009276649.tif 000009
【図８】
2009276649.tif 000010
【図９】
2009276649.tif 000011
【図１０】
2009276649.tif 000012